(57)【要約】【課題】本発明は、路盤を建設コストが安く、即時交通が開放でき、メンテナンスが容易な砕石路盤とし、かつ透水および排水能力が十分に得られる透排水性ブロック舗装方法を提供することにある。【解決手段】路盤を建設コストが安く、即時交通が開放でき、メンテナンスが容易な砕石路盤とし、かつ透排水能力が十分に得られる透排水性ブロック舗装を提供する方法として、ブロックを敷設したときにブロックの側面または底面に水平方向に貫通する排水孔を設けた普通または透水性ブロックを使用し、この排水孔に雨水を浸透させるための目地幅を確保するための垂直板と砕石路盤の使用時にブロックを安定させるためのブロックの底面またはブロックの側面の排水孔またはその両方に食い込むベース板を有するブロック舗装強化板を用いて施工する透排水性ブロック舗装方法を構成している。【選択図】　図３
2004137696.tif 000002
【特許請求の範囲】
【請求項１】
路盤層を形成した後、該路盤層の上にサンドクッション層を形成する路盤形成工程とこの路盤形成工程後にサンドクッション層の上部にブロックの側面に水平方向に貫通する排水孔を有する普通または透水性ブロックを敷設し、敷設したブロック相互の目地部に目地幅を確保するための垂直板とブロックの底面に食い込むベース板とからなるブロック舗装強化板を挿入してブロックを敷設するブロック敷設工程からなり、雨水を目地砂を使用しない目地から浸透させ、浸透した雨水をブロック側面の水平方向に貫通する排水孔を通して排水させることを特徴とする透排水性ブロック舗装方法。
【請求項２】
路盤層を形成した後、該路盤層の上にサンドクッション層を形成する路盤形成工程とこの路盤形成工程後にサンドクッション層の上部にブロックの側面に水平方向に貫通する排水孔を有する普通または透水性ブロックを敷設し、敷設したブロック相互の目地部に目地幅を確保するための垂直板とブロック側面の排水孔に食い込むベース板とからなるブロック舗装強化板を挿入してブロックを敷設するブロック敷設工程からなり、雨水を目地砂を使用しない目地から浸透させ、浸透した雨水をブロック側面の水平方向に貫通する排水孔を通して排水させることを特徴とする透排水性ブロック舗装方法。
【請求項３】
路盤層を形成した後、該路盤層の上にサンドクッション層を形成する路盤形成工程とこの路盤形成工程後にサンドクッション層の上部にブロックの側面に排水孔を有する普通または透水性ブロックを敷設し、敷設したブロック相互の目地部に目地幅を確保するための垂直板とブロック底面に食い込むベース板とブロック側面の排水孔に食い込む突起とからなるブロック舗装強化板を挿入してブロックを敷設するブロック敷設工程からなり、雨水を目地砂を使用しない目地から浸透させ、浸透した雨水をブロック側面の水平方向に貫通する排水孔を通して排水させることを特徴とする透排水性ブロック舗装方法。
【請求項４】
路盤層を形成した後、該路盤層の上にサンドクッション層を形成する路盤形成工程とこの路盤形成工程後にサンドクッション層の上部にブロックの底面に排水孔を有する普通または透水性ブロックを敷設し、敷設したブロック相互の目地部に目地幅を確保するための垂直板とブロック底面に食い込むベース板とからなるブロック舗装強化板を挿入してブロックを敷設するブロック敷設工程からなり、雨水を目地砂を使用しない目地から浸透させ、浸透した雨水をブロック底面の水平方向に貫通する排水孔を通して排水させることを特徴とする透排水性ブロック舗装方法。
【発明の詳細な説明】
【０００１】
【発明が属する技術分野】
本発明は、透排水性ブロック舗装における舗装方法に関する。
【０００２】
【従来の技術】
従来の排水性ブロック舗装においては、路盤をコンクリートなどの不透水性路盤とし、ポーラスな透水性ブロックを用いてブロック表層から排水させる舗装方法が使用されている。
【０００３】
【発明が解決しようとする課題】
排水性ブロック舗装は、車道又は歩車兼用道路において、車走行の安全性の確保、水はねの防止、歩行の安全性の確保等を目的とした舗装である。従来、排水性ブロック舗装の施工には、雨水が路盤に浸透して路盤が弱体化し舗装が破壊されることを防ぐために、路盤は砕石路盤が使用できず不透水性のコンクリート路盤としなければならない。コンクリート路盤とすることは、建設コストが高い、交通開放に長期間を有する、地下埋設物などのメンテナンスが困難であるなどの多くの問題を有している。また、透水性ブロックによる排水性能は低くく満足な排水性が得られないという問題がある。
【０００４】
本発明は以上のような従来の欠点に鑑み、路盤を建設コストが安く、即時交通が開放でき、メンテナンスが容易な砕石路盤とし、かつ透水および排水能力が十分に得られる透排水性ブロック舗装方法を提供することを目的としている。
【０００５】
本発明の前記ならびにそのほかの目的と新規な特長は次の説明を添付図面と照らし合わせて読むとより完全に明らかになるであろう。ただし、図面はもっぱら解説のためのものであって、本発明の技術的範囲を限定するものではない。
【０００６】
【課題を解決するための手段】
上記の目的を解決するために、即ち、路盤を建設コストが安く、即時交通が開放でき、メンテナンスが容易な砕石路盤とし、かつ透排水能力が十分に得られる透排水性ブロック舗装を提供する方法として、ブロックを敷設したときにブロックの側面または底面に水平方向に貫通する排水孔を設けたブロックを使用し、この排水孔に雨水を浸透させるための目地幅を確保するための垂直板と砕石路盤の使用時にブロックを安定させるためのブロック底面またはブロック側面の排水孔またはその両方に食い込むベース板を有するブロック舗装強化板を用いて施工する透排水性ブロック舗装方法を構成している。
【０００７】
【発明の実施の形態】
以下、図面に示す実施の形態により、本発明を詳細に説明する。
【０００８】
図１は、従来の排水性ブロック舗装の代表的な例である。砕石路盤１１の上にコンクリート路盤１２を設け、透水シート１３を乗せ、その上にサンドクッション１４を敷き均し、その上に透水性ブロック１５を敷設し、目地砂１６を詰める舗装方法である。雨水１７は、透水性ブロック１５の中を伝わって水平方向に排水される。目地砂１６はブロック相互の噛みあわせを強くし荷重を分散させるために使用されるが、雨水が浸透するとこの噛み合わせが弱くなり、そのため路盤に雨水が浸透して路盤の支持力が低下したとき、ブロック単体の沈下が発生し、ブロック舗装の破損の原因となるため路盤に雨水が浸透しないようコンクリート路盤１２が使用される。コンクリート路盤１２の使用は、建設費が高い、交通開放に時間を要する、メンテナンスが困難である等の問題を有している。また、透水性ブロックの排水性能は小さく、強雨時には表面排水１８が発生する問題も有している。またブロック表面の目詰まりにより排水性能が低下する問題を有している。
【０００９】
図２は、本発明の透排水性ブロック舗装方法の一例でコンクリート路盤は使用しない。フィルター層２１の上に砕石路盤２２を構築し、その上に透水シート２３を乗せ、その上にサンドクッション２４を敷き均し、ブロックの側面に水平方向に貫通する排水孔２６を有する普通または透水性ブロック２５を敷設し、ブロックのクロス目地部に強化板２７を挿入して、目地砂を使用しない透排水性ブロック舗装方法である。強化板２７は、目地幅を確保するための垂直板とブロック単体の挙動、即ちブロック相互の段差を防ぐベース板とで構成されている。雨水２８は、従来の透水性ブロックのブロック表面から浸透して排水される他、目地砂を使用しないことから、目地から浸透した雨水２９は、ブロック側面の排水孔２６より排水される。本発明の透排水性ブロック舗装方法により、以下に示す効果が得られる。路盤にコンクリートを使用しないため，建設費が安価である、即時交通開放ができる、地下埋設物などのメンテナンスが容易である等の特徴を有する。また、強雨時の排水性に優れ、かつブロック表面の目詰まりが発生しても目地からの排水性能は確保される。
【００１０】
図３は、図２の補足説明図である。ブロックの側面に水平方向に貫通する排水孔３２を有する普通または透水性ブロック３１と目地幅を確保するための垂直板３５とブロック相互の段差を防止するベース板３４を有する強化板３３を用いて施工した本発明の透排水性ブロック舗装を示す。雨水３７は目地砂を使用しない目地３６に導かれ、目地より浸透した雨水はブロックの側面に水平方向に貫通する排水孔３２より排水される。本発明の透排水性ブロック舗装方法により、以下に示す効果が得られる。路盤にコンクリートを使用しないため，建設費が安価である、即時交通開放ができる、地下埋設物などのメンテナンスが容易である等の特徴を有する。また、強雨時の排水性に優れ、かつブロック表面の目詰まりが発生しても目地からの排水性能は確保される。
【００１１】
図４は、図２の本発明の透排水性ブロック舗装方法に用いられる強化板の例を説明する図である。強化板は、垂直板４２とベース板４１で構成されている。垂直板４２は、雨水をブロック側面に設けられた排水孔に導くための目地幅を確保し、またベース板４１の移動を防止する役割を果たす。ベース板４１は、ブロック相互の段差を防ぎ、複数のブロックが一体となって挙動し、荷重分散効果を高めて、雨水が浸透して支持力が低下した路盤においてもブロック舗装が損傷しないようにする役割を果たす。
【００１２】
図５は、本発明の透排水性ブロック舗装方法の別の例で、図２との違いは使用する強化板にあり、図２と同様にコンクリート路盤は使用しない。フィルター層５１の上に砕石路盤５２を構築し、その上に透水シート５３を乗せ、その上にサンドクッション５４を敷き均し、ブロックの側面に水平方向に貫通する排水孔５６を有する普通または透水性ブロック５５を敷設し、ブロックのクロス目地部に強化板５７を挿入して、目地砂を使用しない透排水性ブロック舗装方法である。強化板５７は、目地幅を確保するための垂直板とブロック単体の挙動、即ちブロック相互の段差を防ぐベース板とで構成されている。雨水５８は、従来の透水性ブロックのブロック表面から浸透して排水される他、目地砂を使用しないことから、目地から浸透した雨水５９は、ブロック側面の排水孔５６より排水される。本発明の透排水性ブロック舗装方法により、以下に示す効果が得られる。路盤にコンクリートを使用しないため，建設費が安価である、即時交通開放ができる、地下埋設物などのメンテナンスが容易である等の特徴を有する。また、強雨時の排水性に優れ、かつブロック表面の目詰まりが発生しても目地からの排水性能は確保される。
【００１３】
図６は、図５の補足説明図である。ブロックの側面に水平方向に貫通する排水孔６２を有する普通または透水性ブロック６１と目地幅を確保するための垂直板６５とブロック側面の排水孔６２に食い込んでブロック相互の段差を防止するベース板６４を有する強化板６３を用いて施工した本発明の透排水性ブロック舗装を示す。雨水６７は目地砂を使用しない目地６６に導かれ、目地より浸透した雨水はブロックの側面に水平方向に貫通する排水孔６２より排水される。本発明の透排水性ブロック舗装方法により、以下に示す効果が得られる。路盤にコンクリートを使用しないため，建設費が安価である、即時交通開放ができる、地下埋設物などのメンテナンスが容易である等の特徴を有する。また、強雨時の排水性に優れ、かつブロック表面の目詰まりが発生しても目地からの排水性能は確保される。
【００１４】
図７は、本図５の本発明の透排水性ブロック舗装方法に用いられる強化板の例を説明する図である。強化板は、垂直板７２とベース板７１で構成されている。垂直板７２は、雨水をブロック側面に設けられた排水孔に導くための目地幅を確保し、またベース板７１の移動を防止する役割を果たす。ベース板７１は、ブロック相互の段差を防ぎ、複数のブロックが一体となって挙動し、荷重分散効果を高めて、雨水が浸透して支持力が低下した路盤においてもブロック舗装が損傷しないようにする役割を果たす。
【００１５】
図８は、本発明の透排水性ブロック舗装方法の別の例で、図２、図５との違いは強化板にあり、図２、図５と同様、コンクリート路盤は使用しない。フィルター層８１の上に砕石路盤８２を構築し、その上に透水シート８３を乗せ、その上にサンドクッション８４を敷き均し、ブロックの側面に水平方向に貫通する排水孔８６を有する普通または透水性ブロック８５を敷設し、ブロックのクロス目地部に強化板８７を挿入して、目地砂を使用しない透排水性ブロック舗装方法である。強化板８７は、目地幅を確保するための垂直板とブロック単体の挙動、即ちブロック相互の段差を防ぐベース板とで構成されている。雨水８８は、従来の透水性ブロックのブロック表面から浸透して排水される他、目地砂を使用しないことから、目地から浸透した雨水８９は、ブロック側面の排水孔８６より排水される。本発明の透排水性ブロック舗装方法により、以下に示す効果が得られる。路盤にコンクリートを使用しないため，建設費が安価である、即時交通開放ができる、地下埋設物などのメンテナンスが容易である等の特徴を有する。また、強雨時の排水性に優れ、かつブロック表面の目詰まりが発生しても目地からの排水性能は確保される。
【００１６】
図９は、図８の補足説明図である。ブロックの側面に水平方向に貫通する排水孔９２を有する普通または透水性ブロック９１と目地幅を確保するためのブロック側面の排水孔９２に食い込む突起９６がつけられている垂直板９５とブロック相互の段差を防止するベース板９４を有する強化板９３用いて施工した本発明の透排水性ブロック舗装を示す。雨水９８は目地砂を使用しない目地９７に導かれ、目地より浸透した雨水はブロックの側面に水平方向に貫通する排水孔９２より排水される。本発明の透排水性ブロック舗装方法により、以下に示す効果が得られる。路盤にコンクリートを使用しないため，建設費が安価である、即時交通開放ができる、地下埋設物などのメンテナンスが容易である等の特徴を有する。また、強雨時の排水性に優れ、かつブロック表面の目詰まりが発生しても目地からの排水性能は確保される。
【００１７】
図１０は、図８の本発明の透排水性ブロック舗装方法に用いられる強化板の例を説明する図である。強化板は、垂直板１０２とベース板１０１で構成されている。垂直板１０３には、ブロックの側面の排水孔に食い込む突起１０３が取りつけられている。垂直板１０２は、雨水をブロック側面に設けられた排水孔に導くための目地幅を確保し、またベース板１０１の移動を防止する役割を果たす。垂直板に取り付けられた突起１０３とベース板１０１は、ブロック相互の段差を防ぎ、複数のブロックが一体となって挙動し、荷重分散効果を高めて、雨水が浸透して支持力が低下した路盤においてもブロック舗装が損傷しないようにする役割を果たす。
【００１８】
図１１は、本発明の透排水性ブロック舗装方法の別の例で、図２と大きく異なる点はブロックの形状にあり、図２と同様、コンクリート路盤は使用しない。フィルター層１１１の上に砕石路盤１１２を構築し、その上に透水シート１１３を乗せ、その上にサンドクッション１１４を敷き均し、ブロックの側面に水平方向に貫通する排水孔１１６を有する普通または透水性ブロック１１５を敷設し、ブロックのクロス目地部に強化板１１７を挿入して、目地砂を使用しない透排水性ブロック舗装方法である。強化板１１７は、目地幅を確保するための垂直板とブロック単体の挙動、即ちブロック相互の段差を防ぐベース板とで構成されている。雨水１１８は、従来の透水性ブロックのブロック表面から浸透して排水される他、目地砂を使用しないことから、目地から浸透した雨水１１９は、ブロック側面の排水孔１１６より排水される。本発明の透排水性ブロック舗装方法により、以下に示す効果が得られる。路盤にコンクリートを使用しないため，建設費が安価である、即時交通開放ができる、地下埋設物などのメンテナンスが容易である等の特徴を有する。また、強雨時の排水性に優れ、かつブロック表面の目詰まりが発生しても目地からの排水性能は確保される。排水孔１１６が大きいことから、排水性、貯水性に優れ、舗装表面に排水勾配のないフラットな舗装面が得られ車椅子の走行を助けてバリアフリーな舗装となり，かつ雨水を一時的に貯水して都市河川の氾濫やヒートアイランドを緩和する機能がある。
【００１９】
図１２は、本発明の透排水性ブロック舗装方法の別の例で、図１１と大きく異なる点はブロックの形状にあり、図１１と同様、コンクリート路盤は使用しない。フィルター層１２１の上に砕石路盤１２２を構築し、その上に透水シート１２３を乗せ、その上にサンドクッション１２４を敷き均し、ブロックの底面に水平方向に貫通する排水孔１２６を有する普通または透水性ブロック１２５を敷設し、ブロックのクロス目地部に強化板１２７を挿入して、目地砂を使用しない透排水性ブロック舗装方法である。強化板１２７は、目地幅を確保するための垂直板とブロック単体の挙動、即ちブロック相互の段差を防ぐベース板とで構成されている。雨水１２８は、従来の透水性ブロックのブロック表面から浸透して排水される他、目地砂を使用しないことから、目地から浸透した雨水１２９は、ブロック底面の排水孔１２６より排水される。本発明の透排水性ブロック舗装方法により、以下に示す効果が得られる。路盤にコンクリートを使用しないため，建設費が安価である、即時交通開放ができる、地下埋設物などのメンテナンスが容易である等の特徴を有する。また、強雨時の排水性に優れ、かつブロック表面の目詰まりが発生しても目地からの排水性能は確保される。排水孔１２６が大きいことから、排水性、貯水性に優れ、舗装表面に排水勾配のないフラットな舗装面が得られ車椅子の走行を助けてバリアフリーな舗装となり，かつ雨水を一時的に貯水して都市河川の氾濫やヒートアイランドを緩和する機能がある。
【発明の効果】
以上の説明から明らかなように、本発明にあたっては次に列挙する効果が得られる。
【００２０】
砕石路盤上の透水シートの上にサンドクッションを敷き均し、ブロックの側面または底面に水平方向に貫通する排水孔を有する普通または透水性ブロックを敷設し、ブロックのクロス目地部に強化板を挿入する舗装方法からなるので、強化板により、コンクリート路盤を用いない砕石路盤でもブロック相互の段差が発生しなく、また強化板により目地砂を使用しない状態で目地幅が確保され，目地から浸透した雨水は、ブロックの側面または底面の排水孔より排水される。本発明の透排水性ブロック舗装は，路盤にコンクリートを使用しないため，建設費が安価である、即時交通開放ができる、地下埋設物などのメンテナンスが容易である等の効果が得られる。更に、排水孔により強雨時の排水性に優れ，また透水性ブロックの表面が目詰まりしても，目地からの浸透排水により透排水性能は確保される。
【００２１】
本発明による透排水性ブロック舗装は、建設費が安価である、即時交通開放ができる、地下埋設物などのメンテナンスが容易である、高い排水性能が得られる、排水性能が長期に維持される等の効果ほか、次の付属の効果を示す。高い排水性能により歩道の表面排水勾配が不要のフラットな舗装面が得られ、車椅子の走行にやさしいバリアフリーな舗装が得られる。ブロック側面の排水孔により高い貯水性が得られ，都市河川の氾濫の防止に効果を有する。また、高い保水性によりヒートアイランドの緩和の効果を有する。本発明の透排水性ブロック舗装に用いる強化板は、再生プラスチックでできているためリサイクルに貢献する。
【図面の簡単な説明】
【図１】従来の排水性ブロック舗装構造の説明図。
【図２】本発明の透排水性ブロック舗装構造の説明図。
【図３】本発明の透排水性ブロック舗装構造の説明図。
【図４】本発明の透排水性ブロック舗装に用いる強化板の説明図。
【図５】本発明の透排水性ブロック舗装構造の説明図。
【図６】本発明の透排水性ブロック舗装構造の説明図。
【図７】本発明の透排水性ブロック舗装に用いる強化板の説明図。
【図８】本発明の透排水性ブロック舗装構造の説明図。
【図９】本発明の透排水性ブロック舗装構造の説明図。
【図１０】本発明の透排水性ブロック舗装に用いる強化板の説明図。
【図１１】本発明の透排水性ブロック舗装構造の説明図。
【図１２】本発明の透排水性ブロック舗装構造の説明図。
【符号の説明】
２１、５１、８１、９１、１１１、１２１　　フィルター層
１１、２２、５２、８２、１１２、１２２　　砕石路盤
１２　　コンクリート路盤
１３、２３、５３、８３、１１３、１２３　　透水シート
１４、２４、５４、８４、１１４、１２４　　サンドクッション
１５、２５、３１、５５、６１、８５、１１５、１２５　　普通または透水性ブロック
１６、　　目地砂
３６、６６、９７　　目地
２７、３３、５７、６３、８７、９３、１１７、１２７　　強化板
３５、４２、６５、７２、９５、１０２　　垂直板
３４、４１、６４、７１、９４、１０１　　ベース板
９６、１０３　　突起
２６、３２、５６、６２、８６、９２、１１６、１２６　　排水孔
１７、１８、２８、２９、３７、５８、５９、６７、８８、８９、９８、１１８、１１９、１２８、１２９　　雨水
【図１】
2004137696.tif 000003
【図２】
2004137696.tif 000004
【図３】
2004137696.tif 000005
【図４】
2004137696.tif 000006
【図５】
2004137696.tif 000007
【図６】
2004137696.tif 000008
【図７】
2004137696.tif 000009
【図８】
2004137696.tif 000010
【図９】
2004137696.tif 000011
【図１０】
2004137696.tif 000012
【図１１】
2004137696.tif 000013
【図１２】
2004137696.tif 000014